(57)【要約】【課題】ヒートポンプユニットの配電部の浸水・水没から、貯湯タンクユニット側の機能保護を行うことができるヒートポンプ給湯機を提供すること。【解決手段】ヒートポンプユニット２と、貯湯タンクユニット１と、前記ヒートポンプユニット２と貯湯タンクユニット１とを接続する通信線３と、前記貯湯タンクユニット１下部に配設した水検知手段７とを備え、前記水検知手段７が水を検知すると、前記貯湯タンクユニット１から前記ヒートポンプユニット２への前記通信線３による電源供給を遮断する構成としたことを特徴とするヒートポンプ給湯機。【選択図】図１
2013002693.tif 000002
【特許請求の範囲】
【請求項１】
ヒートポンプユニットと、貯湯タンクユニットと、前記ヒートポンプユニットと貯湯タンクユニットとを接続する通信線と、前記貯湯タンクユニット下部に配設した水検知手段とを備え、前記水検知手段が水を検知すると、前記貯湯タンクユニットから前記ヒートポンプユニットへの前記通信線による電源供給を遮断する構成としたことを特徴とするヒートポンプ給湯機。
【請求項２】
前記水検知手段を、前記貯湯タンクユニットの漏水検知手段と共用する構成としたことを特徴とする請求項１に記載のヒートポンプ給湯機。
【請求項３】
リモコンを備え、前記水検知手段が水を検地したとき、前記リモコンの表示部に異常表示する構成としたことを特徴とする請求項１または２に記載のヒートポンプ給湯機。
【発明の詳細な説明】
【技術分野】
【０００１】
本発明は、貯湯タンクユニットとヒートポンプユニットからなるヒートポンプ給湯機に関するものである。
【背景技術】
【０００２】
従来のヒートポンプ給湯機の貯湯タンクユニットは、過去のデータを鑑み、屋内設置用には、タンク内部からの漏水を検知するための手段を設けている。また、配電部を設置面より８００ｍｍ以上の位置に設けている（例えば、特許文献１、特許文献２参照）。
【先行技術文献】
【特許文献】
【０００３】
【特許文献１】特開昭６２−１１９３５９号公報
【特許文献２】特開平４−１４９３２９号公報
【発明の概要】
【発明が解決しようとする課題】
【０００４】
しかしながら、従来の屋外設置用ヒートポンプ給湯機は、漏水は元より、外部からの浸水に対する検知手段は無く、ヒートポンプユニットは本来の形状より、配電部を貯湯タンクユニットの配電部と同等、またはそれ以上の位置に設けることは出来ない。
【０００５】
また、一般的な設置環境からも、当該条件をカバーすることは困難である。そのため、大雨などによる一定量を超えた雨水などにより、ヒートポンプユニットの配電部が浸水・水没し、貯湯タンクユニットとヒートポンプユニットを繋ぐ通信線が短絡すると、ヒートポンプユニットのみならず、貯湯タンクユニット側の機能まで損なわれることとなってしまう。
【０００６】
本発明は、前記従来の課題を解決するもので、ヒートポンプユニットの配電部の浸水・水没から、貯湯タンクユニット側の機能保護を行うことができるヒートポンプ給湯機を提供することを目的とする。
【課題を解決するための手段】
【０００７】
上記目的を達成するために、本発明のヒートポンプ給湯機は、ヒートポンプユニットと、貯湯タンクユニットと、前記ヒートポンプユニットと貯湯タンクユニットとを接続する通信線と、前記貯湯タンクユニット下部に配設した水検知手段とを備え、前記水検知手段が水を検知すると、前記貯湯タンクユニットから前記ヒートポンプユニットへの前記通信線による電源供給を遮断する構成としたことを特徴とするものである。
【０００８】
これにより、ヒートポンプユニットの配電部浸水による通信線の短絡から、貯湯タンクユニット側の機能保護の実現を図ることができる。
【発明の効果】
【０００９】
本発明によれば、ヒートポンプユニットの配電部の浸水・水没から、貯湯タンクユニット側の機能保護を行うことができるヒートポンプ給湯機を提供できる。
【図面の簡単な説明】
【００１０】
【図１】本発明の実施の形態１におけるヒートポンプ給湯機の全体図
【図２】同貯湯タンクユニットの下部詳細図
【発明を実施するための形態】
【００１１】
第１の発明は、ヒートポンプユニットと、貯湯タンクユニットと、前記ヒートポンプユニットと貯湯タンクユニットとを接続する通信線と、前記貯湯タンクユニット下部に配設した水検知手段とを備え、前記水検知手段が水を検知すると、前記貯湯タンクユニットから前記ヒートポンプユニットへの前記通信線による電源供給を遮断する構成としたことを特徴とするヒートポンプ給湯機である。
【００１２】
これにより、ヒートポンプユニットの配電部浸水による通信線の短絡から、貯湯タンクユニット側の機能保護の実現を図ることができる。
【００１３】
第２の発明は、前記水検知手段を、前記貯湯タンクユニットの漏水検知手段と共用する構成としたことを特徴とするものである。
【００１４】
これにより、低コストで、ヒートポンプユニットの配電部浸水による通信線の短絡から、貯湯タンクユニット側の機能保護の実現を図ることができる。
【００１５】
第３の発明は、リモコンを備え、前記水検知手段が水を検地したとき、前記リモコンの表示部に異常表示する構成としたことを特徴とするものである。
【００１６】
これにより、使用者にその旨を報知できる。
【００１７】
以下、本発明の実施の形態について説明する。なお、この実施の形態によって本発明が限定されるものではない。
【００１８】
（実施の形態１）
図１は、本発明の第１の実施の形態にかかるヒートポンプ給湯機の構成図である。
【００１９】
ヒートポンプ給湯機は、貯湯タンクユニット１とヒートポンプユニット２から構成され、同一設置面に設置されている。
【００２０】
前述の２種のユニットは、通信線３で、電気回路的に、また、配管で、水（湯）回路的に接続されている。
【００２１】
貯湯タンクユニット１は、配管にて給水・給湯先等と、また、リモコン線にてリモコン４と接続されている。
【００２２】
図で示すように、貯湯タンクユニット１の配電部５は、設置面より８００ｍｍ以上が確保できる位置に設けられている。
【００２３】
しかし、ヒートポンプユニットの配電部６は、８００ｍｍは確保できず、本実施の形態では約５５０ｍｍの位置に設けられている。
【００２４】
水検知手段７の感応部は、貯湯タンクユニット１の下部、脚部近傍で、且つ、ヒートポンプユニット２の配電部６位置よりも、やや下部に位置するように設置されている。通信線３を通して、貯湯タンクユニット１と接続している。
【００２５】
水検知手段７の感応部が、水を感知すると、貯湯タンクユニット１側から、ヒートポンプユニット側への電源供給は遮断される。
【００２６】
そして、水検知手段７の感応部が、水を感知すると、貯湯タンクユニット１側から、ヒートポンプユニット２側への電源供給は遮断されると同時に、リモコン４表示部に異常を示す表示がされるように構成されている。
【００２７】
図２は、屋内設置用貯湯タンクユニット１の下部、脚部近傍の構成図である。
【００２８】
貯湯タンクユニット１が屋内設置用であるため、一般的に見て、ヒートポンプユニット２は、貯湯タンクユニット１より低い位置に設置される場合が多く、ヒートポンプ給湯機を構成する２種のユニットの配電部５、６間の高低差は開く傾向にある。
【００２９】
また、貯湯タンクユニット１側からの漏水を検知し、設置環境へのダメージを防ぐために、漏水検知手段が設けられている。
【００３０】
漏水検知手段には、貯湯タンクユニット１側からの漏水を検知する漏水検知手段の漏水感応部８と、戸外での浸水を検知する漏水検知手段の戸外浸水感応部９が設けられており、共用の通信線３を通して、貯湯タンクユニット１と接続しており、この漏水検知手段を水検知手段７として活用することもできる。
【産業上の利用可能性】
【００３１】
以上のように、本発明にかかるヒートポンプ給湯機は、貯湯タンクユニットに、ヒートポンプユニットへの電源供給を遮断できる機能を持つヒートポンプ給湯機全般に利用できる。また、ヒートポンプ給湯機以外の熱源ユニットと貯湯タンクユニットから構成される給湯機への転用も可能である。
【符号の説明】
【００３２】
１  貯湯タンクユニット
２  ヒートポンプユニット
３  通信線
４  リモコン
５  配電部（貯湯タンクユニット側）
６  配電部（ヒートポンプユニット側）
７  水検知手段
８  漏水検知手段の漏水感応部
９  漏水検知手段の戸外浸水感応部
【図１】
2013002693.tif 000003
【図２】
2013002693.tif 000004